(57)【要約】【課題】  ユーザーにとって必要なコンテンツが不用意に削除される危険性を軽減しつつ、容易に記記録媒体の空き領域を確保できるようにする。【解決手段】  コンテンツの属性および前記コンテンツに対して加えられた操作を示すコンテンツ管理情報に基づいて、ＨＤＤ１０３に記録されているコンテンツが所定の条件を満たすかどうかが判断部１０８によって判断される。条件を満たすコンテンツがコンテンツ圧縮処理部１１０のよって圧縮されていない場合には、コンテンツ圧縮処理部１１０によって圧縮され、圧縮されている場合にはコンテンツ削除処理部１０９によって削除される。【選択図】  図１
2006286060.tif 000002
【特許請求の範囲】
【請求項１】
記録媒体に対して複数のコンテンツの記録再生動作を行う記録再生装置であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断手段と、
前記管理条件判断手段によって前記コンテンツ管理条件を満足すると判断されたコンテンツ全体またはコンテンツの一部分に対して、圧縮を行うことによって前記記録媒体の記録領域の確保処理を行う記録領域確保手段と、
を備えたことを特徴とする記録再生装置。
【請求項２】
請求項１の記録再生装置であって、
前記記録領域確保手段は、前記コンテンツ管理条件を満足したコンテンツが前記記録領域確保手段によって既に圧縮されている場合には、前記コンテンツ管理条件を満足したコンテンツ全体または一部分を削除するように構成されていることを特徴とする記録再生装置。
【請求項３】
記録媒体に対して複数のコンテンツの記録再生動作を行う記録再生装置であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断手段と、
前記管理条件判断手段によって前記コンテンツ管理条件を満足すると判断されたコンテンツまたはコンテンツの一部分に対して、他の記録媒体へ移動することによって前記記録媒体の記録領域の確保処理を行う記録領域確保手段と、
を備えたことを特徴とする記録再生装置。
【請求項４】
請求項１から請求項３のうちの何れか１項の記録再生装置であって、
前記管理条件判断手段は、前記記録媒体におけるコンテンツを記録する領域の空き容量が所定の容量を下回った場合に、前記判断を行うように構成されてることを特徴とする記録再生装置。
【請求項５】
請求項１から請求項３のうちの何れか１項の記録再生装置であって、
さらに、前記記録媒体におけるコンテンツを記録する領域の空き容量が所定の容量を上回った場合に、所定の条件を満たす圧縮済みのコンテンツを圧縮前の状態に戻すコンテンツ解凍手段を備えたことを特徴とする記録再生装置。
【請求項６】
請求項１から請求項３のうちの何れか１項の記録再生装置であって、
前記コンテンツ管理情報は、前記コンテンツが他の記録媒体に複製されたかどうかを示す情報を含むものであり、
前記記録領域確保手段は、前記コンテンツが他の記録媒体に複製されている場合には、複製元のコンテンツに対し、前記記録領域の確保処理を行うように構成されていることを特徴とする記録再生装置。
【請求項７】
請求項１から請求項３のうちの何れか１項の記録再生装置であって、
前記コンテンツ管理情報は、前記コンテンツの最新再生日時を示す情報を含むものであり、
前記記録領域確保手段は、前記最新再生日時から所定の期間が経過しているコンテンツに対し、前記記録領域の確保処理を行うように構成されていることを特徴とする記録再生装置。
【請求項８】
請求項７の記録再生装置であって、
前記最新再生日時を示す情報は、所定の時間以上再生された場合に更新されることを特徴とする記録再生装置。
【請求項９】
請求項１から請求項３のうちの何れか１項の記録再生装置であって、
前記コンテンツ管理情報は、コンテンツの再生がコンテンツの一部か全体か、コンテンツの一部が再生された場合において再生された一部の再生日時、一部が再生された場合において再生された区間、およびコンテンツの一部が再生された場合において何回に分けてコンテンツが再生されたかを示す情報を含むものであり、
前記管理条件判断手段は、前記コンテンツに前記コンテンツ管理条件を満足する部分があるかどうかを判断するように構成され、
前記記録領域確保手段は、前記コンテンツの前記コンテンツ管理条件を満足した部分に対して、前記記録領域の確保処理を行うように構成されていることを特徴とする記録再生装置。
【請求項１０】
請求項１から請求項３のうちの何れか１項の記録再生装置であって、
前記コンテンツ管理情報は、前記コンテンツの何れの部分に対し、早見再生が行われたかを示す情報を含むものであり、
前記記録領域確保手段は、早見再生が行われた部分に対して、前記記録領域の確保処理を行うように構成されていることを特徴とする記録再生装置。
【請求項１１】
請求項１から請求項３のうちの何れか１項の記録再生装置であって、
前記コンテンツ管理情報は、前記コンテンツの何れの部分に対し、何回の早見再生が行われたかを示す情報を含むものであり、
前記記録領域確保手段は、所定の回数以上の早見再生が行われた部分に対して、前記記録領域の確保処理を行うように構成されていることを特徴とする記録再生装置。
【請求項１２】
請求項１１の記録再生装置であって、
前記コンテンツ管理情報は、コンテンツの何れの部分がコンテンツの本編であるかが識別できる情報を含むものであり、
前記記録領域確保手段は、早見再生された部分が前記コンテンツの本編以外の部分である場合には、その部分が早見再生された回数に係わらず、その部分に対して、前記記録領域の確保処理を行うように構成されていることを特徴とする記録再生装置。
【請求項１３】
請求項１から請求項３のうちの何れか１項の記録再生装置であって、
前記記録領域確保手段は、前記コンテンツの他の記録媒体への複製が指示された際に、複製の指示が複製元のコンテンツと同一の画像フォーマット、かつ同一のビットレートでの複製を行う指示の場合には、複製の指示に係わらず前記コンテンツを前記他の記録媒体に移動させ、複製元とは異なる画像フォーマット、または複製元よりも低いビットレートでの複製を行う指示の場合には、指示通りに前記コンテンツを複製するように構成されていることを特徴とする記録再生装置。
【請求項１４】
記録媒体に記録されているコンテンツの管理方法であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断ステップと、
前記管理条件判断ステップによって前記コンテンツ管理条件を満足すると判断されたコンテンツ全体またはコンテンツの一部分に対して、圧縮を行うことによって前記記録媒体の記録領域の確保処理を行う記録領域確保ステップと、
を有することを特徴とするコンテンツ管理方法。
【請求項１５】
請求項１４のコンテンツ管理方法であって、
前記記録領域確保ステップは、前記コンテンツ管理条件を満足したコンテンツが前記記録領域確保ステップによって既に圧縮されている場合には、前記コンテンツ管理条件を満足したコンテンツ全体または一部分を削除することを特徴とするコンテンツ管理方法。
【請求項１６】
記録媒体に対して複数のコンテンツの記録再生動作を行うコンテンツ管理方法であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断ステップと、
前記管理条件判断ステップによって前記コンテンツ管理条件を満足すると判断されたコンテンツまたはコンテンツの一部分に対して、他の記録媒体へ移動することによって前記記録媒体の記録領域の確保処理を行う記録領域確保ステップと、
を有することを特徴とするコンテンツ管理方法。
【請求項１７】
請求項１４から請求項１６のうちの何れか１項のコンテンツ管理方法であって、
前記管理条件判断ステップは、前記記録媒体におけるコンテンツを記録する領域の空き容量が所定の容量を下回った場合に、前記判断を行うように構成されてることを特徴とするコンテンツ管理方法。
【請求項１８】
請求項１４から請求項１６のうちの何れか１項のコンテンツ管理方法であって、
さらに、前記記録媒体におけるコンテンツを記録する領域の空き容量が所定の容量を上回った場合に、所定の条件を満たす圧縮済みのコンテンツを圧縮前の状態に戻すコンテンツ解凍ステップを有することを特徴とするコンテンツ管理方法。
【請求項１９】
請求項１４から請求項１６のうちの何れか１項のコンテンツ管理方法であって、
前記コンテンツ管理情報は、前記コンテンツが他の記録媒体に複製されたかどうかを示す情報を含むものであり、
前記記録領域確保ステップは、前記コンテンツが他の記録媒体に複製されている場合には、複製元のコンテンツに対し、前記記録領域の確保処理を行うことを特徴とするコンテンツ管理方法。
【請求項２０】
請求項１４から請求項１６のうちの何れか１項のコンテンツ管理方法であって、
前記コンテンツ管理情報は、前記コンテンツの最新再生日時を示す情報を含むものであり、
前記記録領域確保ステップは、前記最新再生日時から所定の期間が経過しているコンテンツに対し、前記記録領域の確保処理を行うことを特徴とするコンテンツ管理方法。
【請求項２１】
請求項２０のコンテンツ管理方法であって、
前記最新再生日時を示す情報は、所定の時間以上再生された場合に更新されることを特徴とするコンテンツ管理方法。
【請求項２２】
請求項１４から請求項１６のうちの何れか１項のコンテンツ管理方法であって、
前記コンテンツ管理情報は、コンテンツの再生がコンテンツの一部か全体か、コンテンツの一部が再生された場合において再生された一部の再生日時、一部が再生された場合において再生された区間、およびコンテンツの一部が再生された場合において何回に分けてコンテンツが再生されたかを示す情報を含むものであり、
前記管理条件判断ステップは、前記コンテンツに前記コンテンツ管理条件を満足する部分があるかどうかを判断するように構成され、
前記記録領域確保ステップは、前記コンテンツの前記コンテンツ管理条件を満足した部分に対して、前記記録領域の確保処理を行うことを特徴とするコンテンツ管理方法。
【請求項２３】
請求項１４から請求項１６のうちの何れか１項のコンテンツ管理方法であって、
前記コンテンツ管理情報は、前記コンテンツの何れの部分に対し、早見再生が行われたかを示す情報を含むものであり、
前記記録領域確保ステップは、早見再生が行われた部分に対して、前記記録領域の確保処理を行うことを特徴とするコンテンツ管理方法。
【請求項２４】
請求項１４から請求項１６のうちの何れか１項のコンテンツ管理方法であって、
前記コンテンツ管理情報は、前記コンテンツの何れの部分に対し、何回の早見再生が行われたかを示す情報を含むものであり、
前記記録領域確保ステップは、所定の回数以上の早見再生が行われた部分に対して、前記記録領域の確保処理を行うことを特徴とするコンテンツ管理方法。
【請求項２５】
請求項２４のコンテンツ管理方法であって、
前記コンテンツ管理情報は、コンテンツの何れの部分がコンテンツの本編であるかが識別できる情報を含むものであり、
前記記録領域確保ステップは、早見再生された部分が前記コンテンツの本編以外の部分である場合には、その部分が早見再生された回数に係わらず、その部分に対して、前記記録領域の確保処理を行うことを特徴とするコンテンツ管理方法。
【請求項２６】
請求項１４から請求項１６のうちの何れか１項のコンテンツ管理方法であって、
前記記録領域確保ステップは、前記コンテンツの他の記録媒体への複製が指示された際に、複製の指示が複製元のコンテンツと同一の画像フォーマット、かつ同一のビットレートでの複製を行う指示の場合には、複製の指示に係わらず前記コンテンツを前記他の記録媒体に移動させ、複製元とは異なる画像フォーマット、または複製元よりも低いビットレートでの複製を行う指示の場合には、指示通りに前記コンテンツを複製することを特徴とするコンテンツ管理方法。
【発明の詳細な説明】
【技術分野】
【０００１】
本発明は、ハードディスクや書き換え型光ディスク等の記録媒体に記録されているコンテンツの保存の要否を管理する記録再生装置、およびコンテンツの保存の要否を管理するコンテンツ管理方法に関するものである。
【背景技術】
【０００２】
近年、映像データ、オーディオデータなどを記録再生するＡＶ機器として、磁気テープや光ディスク、メモリカードの記録媒体だけでなく、大容量のハードディスクを備えた記録再生装置の開発がされている。
【０００３】
特にＤＶＤレコーダー機器を例に挙げると、それら記録再生装置には、大容量ハードディスクを備え、多くのコンテンツ（番組データ）を大容量ハードディスクに蓄積することが可能となっている。これにより、従来のように磁気テープや光ディスクなどの記録媒体を幾つも用意する必要がなくなるため、ユーザーにとって録画や録画したコンテンツの管理などにおいて、大きな利便性がある。
【０００４】
しかしその反面、ハードディスクの容量が大きくなるにつれ、ユーザーが大容量ハードディスク内の全記録番組データの内容を把握することは困難となっている（例えば数百ＧＢの容量に数百時間の録画可能）。
【０００５】
また、大容量ハードディスクに記録されている全番組データを把握できないことから、不要なコンテンツがハードディスク内に蓄積されていることも考えられる。したがって、ハードディスク容量が一杯になった際には、録画された莫大な番組データの中から不要な番組データをユーザーが選択して削除する必要があり、ユーザーにとって大きな負担となっている。
【０００６】
そこで、従来の記録再生装置には、例えば番組データが古い、または番組データの再生回数が多いといった条件を満たすコンテンツを自動的に削除することによって、ユーザーの利便性の向上を図るものがある（例えば、特許文献１を参照。）。
【特許文献１】特開２００１−２８３５０１号公報
【発明の開示】
【発明が解決しようとする課題】
【０００７】
しかしながら、上記のように、番組データが古いという理由や番組データの再生回数が多いという理由だけでコンテンツを削除するのでは、ユーザーにとって必要なコンテンツまでもが削除されてしまう可能性を有していた。
【０００８】
本発明は、前記の問題に着目してなされたものであり、ユーザーにとって必要なコンテンツが不用意に削除される危険性を軽減しつつ、容易に記記録媒体の空き領域の確保が可能な記録再生装置やコンテンツ管理方法を提供することを課題としている。
【課題を解決するための手段】
【０００９】
前記の課題を解決するため、請求項１の発明は、
記録媒体に対して複数のコンテンツの記録再生動作を行う記録再生装置であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断手段と、
前記管理条件判断手段によって前記コンテンツ管理条件を満足すると判断されたコンテンツ全体またはコンテンツの一部分に対して、圧縮を行うことによって前記記録媒体の記録領域の確保処理を行う記録領域確保手段と、
を備えたことを特徴とする。
【００１０】
これにより、コンテンツに対して行われた操作に基づいて、コンテンツの圧縮が行われて、記録媒体の空き容量が確保される。
【００１１】
また、請求項２の発明は、
請求項１の記録再生装置であって、
前記記録領域確保手段は、前記コンテンツ管理条件を満足したコンテンツが前記記録領域確保手段によって既に圧縮されている場合には、前記コンテンツ管理条件を満足したコンテンツ全体または一部分を削除するように構成されていることを特徴とする。
【００１２】
これにより、コンテンツ管理条件を満足したコンテンツは、まず圧縮されるので、ユーザーにとって必要な番組データが不用意に削除されてしまう危険性を軽減できる。
【００１３】
また、請求項３の発明は、
記録媒体に対して複数のコンテンツの記録再生動作を行う記録再生装置であって、
コンテンツの属性、１つのコンテンツ全体に対して加えられた操作、および１つのコンテンツの一部分に対して加えられた操作を示すコンテンツ管理情報に基づいて、前記コンテンツが所定のコンテンツ管理条件を満足するかどうかを判断する管理条件判断手段と、
前記管理条件判断手段によって前記コンテンツ管理条件を満足すると判断されたコンテンツまたはコンテンツの一部分に対して、他の記録媒体へ移動することによって前記記録媒体の記録領域の確保処理を行う記録領域確保手段と、
を備えたことを特徴とする。
【００１４】
これにより、コンテンツに対して行われた操作に基づいて、コンテンツの移動が行われて、記録媒体の空き容量が確保される。
【００１５】
また、請求項４の発明は、
請求項１から請求項３のうちの何れか１項の記録再生装置であって、
前記管理条件判断手段は、前記記録媒体におけるコンテンツを記録する領域の空き容量が所定の容量を下回った場合に、前記判断を行うように構成されてることを特徴とする。
【００１６】
これにより、記録媒体の空き容量に応じて、コンテンツ管理条件を満足するかどうかが判断され、コンテンツ管理条件を満足したコンテンツに対してコンテンツの圧縮や移動が行われる。
【００１７】
また、請求項５の発明は、
請求項１から請求項３のうちの何れか１項の記録再生装置であって、
さらに、前記記録媒体におけるコンテンツを記録する領域の空き容量が所定の容量を上回った場合に、所定の条件を満たす圧縮済みのコンテンツを圧縮前の状態に戻すコンテンツ解凍手段を備えたことを特徴とする。
【００１８】
これにより、記録媒体の空き容量に応じて、可能な限り多くのコンテンツが直ちに再生可能な状態で保存される。
【００１９】
また、請求項６の発明は、
請求項１から請求項３のうちの何れか１項の記録再生装置であって、
前記コンテンツ管理情報は、前記コンテンツが他の記録媒体に複製されたかどうかを示す情報を含むものであり、
前記記録領域確保手段は、前記コンテンツが他の記録媒体に複製されている場合には、複製元のコンテンツに対し、前記記録領域の確保処理を行うように構成されていることを特徴とする。
【００２０】
これにより、コンテンツが他の記録媒体に複製された場合に、複製元のコンテンツに対し、コンテンツの圧縮や移動が行われるので、ユーザーにとって必要な番組データが削除されてしまう危険性を軽減できる。
【００２１】
また、請求項７の発明は、
請求項１から請求項３のうちの何れか１項の記録再生装置であって、
前記コンテンツ管理情報は、前記コンテンツの最新再生日時を示す情報を含むものであり、
前記記録領域確保手段は、前記最新再生日時から所定の期間が経過しているコンテンツに対し、前記記録領域の確保処理を行うように構成されていることを特徴とする。
【００２２】
また、請求項８の発明は、
請求項７の記録再生装置であって、
前記最新再生日時を示す情報は、所定の時間以上再生された場合に更新されることを特徴とする。
【００２３】
これらにより、最新再生日時からの経過時間に応じて、コンテンツの圧縮や移動が行われ、記録媒体の空き容量が確保される。
【００２４】
また、請求項９の発明は、
請求項１から請求項３のうちの何れか１項の記録再生装置であって、
前記コンテンツ管理情報は、コンテンツの再生がコンテンツの一部か全体か、コンテンツの一部が再生された場合において再生された一部の再生日時、一部が再生された場合において再生された区間、およびコンテンツの一部が再生された場合において何回に分けてコンテンツが再生されたかを示す情報を含むものであり、
前記管理条件判断手段は、前記コンテンツに前記コンテンツ管理条件を満足する部分があるかどうかを判断するように構成され、
前記記録領域確保手段は、前記コンテンツの前記コンテンツ管理条件を満足した部分に対して、前記記録領域の確保処理を行うように構成されていることを特徴とする。
【００２５】
これにより、コンテンツの一部分が所定の条件を満たしているかどうかに応じて、コンテンツの圧縮や移動が行われ、記録媒体の空き容量が確保される。
【００２６】
また、請求項１０の発明は、
請求項１から請求項３のうちの何れか１項の記録再生装置であって、
前記コンテンツ管理情報は、前記コンテンツの何れの部分に対し、早見再生が行われたかを示す情報を含むものであり、
前記記録領域確保手段は、早見再生が行われた部分に対して、前記記録領域の確保処理を行うように構成されていることを特徴とする。
【００２７】
これにより、早見再生が行われた区間に対して、コンテンツの圧縮や移動が行われ、記録媒体の空き容量が確保される。
【００２８】
また、請求項１１の発明は、
請求項１から請求項３のうちの何れか１項の記録再生装置であって、
前記コンテンツ管理情報は、前記コンテンツの何れの部分に対し、何回の早見再生が行われたかを示す情報を含むものであり、
前記記録領域確保手段は、所定の回数以上の早見再生が行われた部分に対して、前記記録領域の確保処理を行うように構成されていることを特徴とする。
【００２９】
これにより、所定の回数以上の早見再生が行われた区間に対して、コンテンツの圧縮や移動が行われ、記録媒体の空き容量が確保される。
【００３０】
また、請求項１２の発明は、
請求項１１の記録再生装置であって、
前記コンテンツ管理情報は、コンテンツの何れの部分がコンテンツの本編であるかが識別できる情報を含むものであり、
前記記録領域確保手段は、早見再生された部分が前記コンテンツの本編以外の部分である場合には、その部分が早見再生された回数に係わらず、その部分に対して、前記記録領域の確保処理を行うように構成されていることを特徴とする。
【００３１】
これにより、コンテンツの早見再生の回数や、早見再生された部分がコンテンツの本編であるかどうかに応じて、コンテンツの圧縮や移動が行われて、記録媒体の空き容量が確保されるので、ユーザーにとって必要な番組データが削除されてしまう危険性を軽減できる。
【００３２】
また、請求項１３の発明は、
請求項１から請求項３のうちの何れか１項の記録再生装置であって、
前記記録領域確保手段は、前記コンテンツの他の記録媒体への複製が指示された際に、複製の指示が複製元のコンテンツと同一の画像フォーマット、かつ同一のビットレートでの複製を行う指示の場合には、複製の指示に係わらず前記コンテンツを前記他の記録媒体に移動させ、複製元とは異なる画像フォーマット、または複製元よりも低いビットレートでの複製を行う指示の場合には、指示通りに前記コンテンツを複製するように構成されていることを特徴とする。
【００３３】
これにより、コンテンツが同一フォーマット、かつ同一ビットレートで他の記録媒体にダビングされる場合に、コンテンツの圧縮や移動が行われて、記録媒体の空き容量が確保されるので、ユーザーにとって必要な番組データが削除されてしまう危険性を軽減できる。
【発明の効果】
【００３４】
本発明によれば、ユーザーにとって必要なコンテンツが不用意に削除される危険性を軽減しつつ、容易に記記録媒体の空き領域の確保することが可能になる。
【発明を実施するための最良の形態】
【００３５】
以下、本発明の実施形態として、ハードディスクや書き換え型ＤＶＤ（ＤＶＤ±Ｒ、ＤＶＤ±ＲＷ、ＤＶＤ−ＲＡＭ）に記録されているコンテンツの保存の要否を判断して、コンテンツ管理を行う記録再生装置の例を図面を参照しながら説明する。
【００３６】
図１は、本発明の実施形態に係る記録再生装置１００の構成を示すブロック図である。
【００３７】
同図に示すように、記録再生装置１００は、アンテナ１０１、チューナー１０２、ＨＤＤ１０３、記録部１０４、再生部１０５、ダビング部１０６、閾値格納部１０７、判断部１０８、コンテンツ削除処理部１０９、コンテンツ圧縮処理部１１０、コンテンツ移動処理部１１１、コンテンツ解凍処理部１１２、および管理情報更新部１１３を備えて構成されている。
【００３８】
アンテナ１０１は、放送局からの電波を受信し、その電波に基づいた信号をチューナー１０２に出力するようになっている。
【００３９】
チューナー１０２は、アンテナ１０１からの信号を記録媒体に記録可能な形式に変換するようになっている。
【００４０】
ＨＤＤ１０３は、ハードディスクドライブ（Ｈａｒｄ  Ｄｉｓｋ  Ｄｒｉｖｅ）などの記録媒体であって、放送データなどの複数のコンテンツ、および格納された各コンテンツについての管理情報（後述）が記録されるようになっている。
【００４１】
管理情報は、コンテンツが記録された日時やコンテンツのジャンル等のコンテンツの属性情報と、コンテンツがいつ再生されたか等のコンテンツに対して行われた操作を示す情報とを含んだ情報である。
【００４２】
表１にＨＤＤ１０３に記録されているコンテンツの一例とそのコンテンツについての管理情報の一例とを示す。表１は、ＨＤＤ１０３に映画番組のＡ１とＡ２、音楽番組のＢ１とＢ２、およびニュース番組のＣ１とＣ２が記録されていることを示している。
【００４３】
【表１】
2006286060.tif 000003
【００４４】
記録部１０４は、チューナー１０２から出力されたコンテンツ、およびコンテンツについての管理情報をＨＤＤ１０３に記録するようになっている。
【００４５】
再生部１０５は、ＨＤＤ１０３に記録されているコンテンツ、および書き換え型ＤＶＤ２００に記録されているコンテンツを復号化して出力するようになっている。
【００４６】
ダビング部１０６は、ＨＤＤ１０３と書き換え型ＤＶＤ２００との間のコンテンツのコピーを行うようになっている。
【００４７】
なお、ダビング部１０６は、コピーフリーのコンテンツをコピーの対象としている。コピー制限（コピーワンス、ノーモアコピー）があるコンテンツの場合には、コピーでなくムーブ（移動）によりコンテンツのダビングが実現されるためである。
【００４８】
閾値格納部１０７は、コンテンツの圧縮や削除の要否等を判断するために用いる閾値を格納するようになっている。具体的には、次の５つの閾値（閾値１〜閾値５）が格納される。
【００４９】
閾値１は、コンテンツの圧縮または削除を行うかどうかの判断基準となる記録媒体の空き容量（下限値）を示す閾値である。閾値２は、圧縮したコンテンツを元に戻すかどうかの判断基準となる記録媒体の空き容量（下限値）を示す閾値である。閾値３は、コンテンツを保存する有効期限を示す閾値である。閾値４は、管理情報に含まれる最新鑑賞日時を更新するために必要なコンテンツの最低再生時間を示す閾値である。閾値５は、早見再生を行った合計回数からコンテンツの要否を判断するための閾値である。
【００５０】
上記の閾値１〜３、および閾値５は、判断部１０８で使用され、閾値４は管理情報更新部１１３で使用される。なお、各閾値は、デフォルト設定値を装置の起動の際等に設定するようにしてもよいし、またはユーザーが設定するようにしてもよい。
【００５１】
判断部１０８は、ＨＤＤ１０３および書き換え型ＤＶＤ２００に記録されている管理情報と閾値格納部１０７に格納されている閾値とを用いて、ＨＤＤ１０３等に記録されているコンテンツ、またはコンテンツの一部分が、後述する条件（１）〜（４）のうちの何れかを満たすか否かを判断し、条件を満たしているコンテンツ、またはコンテンツ内で条件を満たしている部分が圧縮されている場合には、コンテンツ削除処理部１０９に対してそのコンテンツ、またはコンテンツ内で条件を満たしている部分の削除を指示し、圧縮されていない場合には、コンテンツ圧縮処理部１１０に対してコンテンツ、またはコンテンツ内で条件を満たしている部分の圧縮を指示するようになっている。条件（１）〜（４）を以下に示す。
【００５２】
条件（１）空き領域の確保をしようとしている記録媒体以外の記録媒体にコンテンツが複製（ダビング）されている場合。
【００５３】
条件（２）前記コンテンツの最新鑑賞日時から所定の有効期間（閾値３）を経過した場合。ただし、一部分しか再生されていないコンテンツは、削除をしないようにする。これは、ユーザがコンテンツ全てを一度に鑑賞する場合とコンテンツを一部ずつ複数回に分けて鑑賞する場合とがあるからである。
【００５４】
条件（３）コンテンツの本編以外（例えばＣＭ）の部分が早見再生された場合。
【００５５】
条件（４）コンテンツの本編が早見再生された回数が所定回数（閾値５）よりも多い場合。
【００５６】
また、判断部１０８は、コンテンツが同一フォーマット、かつ同一ビットレートでダビングされる場合には、コンテンツ移動処理部１１１に対して、コンテンツの移動を指示し、フォーマットおよびビットレートの少なくとも何れかが異なっている場合には、ダビング部１０６にコンテンツの複製を指示するようになっている。
【００５７】
また、判断部１０８は、ＨＤＤ１０３が十分な空き容量を有している場合（具体的には空き容量が閾値２を上回っている場合）に、圧縮したコンテンツのうち、所定の条件を満たすものを解凍して圧縮前の状態に戻すようになっている。
【００５８】
コンテンツ削除処理部１０９は、判断部１０８に指示されたコンテンツをＨＤＤ１０３からから削除するようになっている。
【００５９】
コンテンツ圧縮処理部１１０は、判断部１０８に指示されたコンテンツを圧縮するようになっている。圧縮方法は、例えばパーソナルコンピュータ等で多く用いられるｚｉｐ等の圧縮方法やビットレートを下げて再エンコードし保存し直す方法や高圧縮率のフォーマットへの変換等の方法が挙げられるが、ＨＤＤ１０３の空き容量の確保が可能であればこの例には限定されない。
【００６０】
コンテンツ移動処理部１１１は、ＨＤＤ１０３と書き換え型ＤＶＤ２００との間でコンテンツの移動を行うようになっている。
【００６１】
コンテンツ解凍処理部１１２は、判断部１０８に指示に応じて、コンテンツ圧縮処理部１１０によって圧縮されたコンテンツを解凍して圧縮前の状態に戻すようになっている。
【００６２】
管理情報更新部１１３は、コンテンツの録画、削除、再生、およびダビングのうちの何れかが行われた場合に、管理情報を更新するようになっている。
【００６３】
詳しくは、管理情報更新部１１３は、通常の再生速度でコンテンツが再生された場合には、図２のフローチャートに示す処理を行って、前記管理情報を更新する。
【００６４】
まず、管理情報更新部１１３は、コンテンツが閾値４で示される時間より長く再生されたかどうかを確認する（ステップＦ２０１）。これは、例えばユーザがコンテンツの内容を確認するために、先頭部分だけ再生した場合に、その操作をコンテンツの鑑賞として扱わないようにするためである。
【００６５】
再生された時間が閾値４で示される時間よりも長い場合には、そのコンテンツの一部分が再生されたのか全体が再生されたのかを判断する（ステップＦ２０２）。コンテンツの全体が再生された場合にはそのコンテンツに対応した管理情報（再生回数）を更新する（ステップＦ２０６〜ステップＦ２０８）。
【００６６】
一方、そのコンテンツの一部分が再生された場合には、その部分が再生された日時、再生された区間に基づいて、そのコンテンツに対応した管理情報（再生された区間の情報、およびその区間の再生回数）を更新する（ステップＦ２０３〜ステップＦ２０５）。
【００６７】
また、コンテンツの早見再生が行われた場合には、管理情報更新部１１３は、図３のフローチャートに示す処理を行って、前記管理情報を更新する。
【００６８】
具体的には、コンテンツの再生が開始されると、管理情報更新部１１３は、まず、そのコンテンツが早見再生されたかどうかを判断する（ステップＦ３０１）。次に、早見再生された区間が既に早見再生されたことがある区間かどうかを判断する（ステップＦ３０２）。そして、その区間が既に早見再生されたことがある区間であれば、その区間についての再生回数を更新し（ステップＦ３０３）、その区間についての情報を更新する（ステップＦ３０４）。また、初めて早見再生された区間の場合には、その区間の情報を新たに記録する（ステップＦ３０４）。
【００６９】
また、コンテンツがダビングされた場合にも、前記管理情報を更新する（図４のフローチャートを参照）。
【００７０】
書き換え型ＤＶＤ２００は、例えばＤＶＤ±Ｒ、ＤＶＤ±ＲＷ、ＤＶＤ−ＲＡＭなどの書き換えが可能な記録媒体であって、放送データなどの複数のコンテンツ、および前記管理情報が記録されるようになっている。
【００７１】
スピーカ３０１は、再生部１０５により復号化されたコンテンツに含まれている音声信号を出力するようになっている。
【００７２】
ディスプレイ３０２は、再生部１０５により復号化されたコンテンツに含まれている映像信号を出力するようになっている。
【００７３】
上記のように構成された記録再生装置１００の動作を例えば表１に示すコンテンツがＨＤＤ１０３に格納されている場合を例に説明する。
【００７４】
記録再生装置１００の電源がＯＮにされると、閾値１〜閾値５が閾値格納部１０７に設定される（図５のフローチャートを参照）。
【００７５】
ユーザが録画などを指示した際に、ＨＤＤ１０３の空き容量が閾値１を下回った場合には、判断部１０８は、前記条件（１）に基づいて、コンテンツの削除等を指示する。具体的には、図６のフローチャートに示す処理を行う。
【００７６】
まず、判断部１０８は、ＨＤＤ１０３の空き容量が閾値１を下回ったかどうかを判断する（ステップＦ６０１）。
【００７７】
空き容量が閾値１を下回った場合には、コンテンツがＨＤＤ１０３以外の記録媒体にダビング（外部保存）されているかどうかを前記管理情報を用いて判断する（ステップＦ６０２）。コンテンツがダビングされている場合には、そのコンテンツが圧縮されているかどうかを判断し（ステップＦ６０３）、圧縮されている場合には、コンテンツ削除処理部１０９によってそのコンテンツが削除され（ステップＦ６０４）、圧縮されていない場合には、コンテンツ圧縮処理部１１０によって圧縮される（ステップＦ６０５）。
【００７８】
表１の例では、Ａ１の映画番組は、ＨＤＤ１０３以外の記録媒体にダビング（外部保存）されているので、判断部１０８は、Ａ１が圧縮されているかどうかを判断し、Ａ１が圧縮されている場合にはＡ１の削除をコンテンツ削除処理部１０９に指示し、Ａ１が圧縮されていない場合にはＡ１の圧縮をコンテンツ圧縮処理部１１０に指示する。これにより、Ａ２の映画番組は、Ａ１よりも最新鑑賞日時が古いが、外部保存されていないことよりＨＤＤ１０３に残り、ユーザーが再度鑑賞する機会があった際に、不用意に削除されていることはない。
【００７９】
また、判断部１０８は、ＨＤＤ１０３の空き容量が閾値１を下回った場合には、さらに前記条件（２）に基づいて、コンテンツの削除等を指示する。具体的には、図７のフローチャートに示す処理を行う。
【００８０】
まず、判断部１０８は、ＨＤＤ１０３の空き容量が閾値１を下回った場合（ステップＦ７０１）には、コンテンツの最新鑑賞日時から有効期限の閾値３（例えば、６ヶ月）を経過しているかどうかを前記管理情報から判断する（ステップＦ７０２）。コンテンツの最新鑑賞日時から有効期限（閾値３）を経過している場合には、そのコンテンツが圧縮されているかどうかを判断し（ステップＦ７０３）、圧縮されている場合には、コンテンツ削除処理部１０９によってそのコンテンツは削除され（ステップＦ７０４）、そのコンテンツが圧縮されていない場合には、コンテンツ圧縮処理部１１０によって圧縮される（ステップＦ７０５）。
【００８１】
表１の例では、Ａ２の最新鑑賞日時から有効期限（閾値３）を経過している場合に、Ａ２が圧縮されていなければ圧縮される。
【００８２】
また、再度ＨＤＤ１０３の空き容量が不足した際などに、判断部１０８で前記条件（２）に基づいた判断が行われた場合に、Ａ２の最新鑑賞日時が更新されていなければ、Ａ２はすでに圧縮されているので、今度は削除される。
【００８３】
なお、閾値３はコンテンツのジャンルによって変更することが望ましい。これは、ニュースのように改めて見直すことが少なく、コンテンツが新しいことが重要なジャンルに対しては短い有効期限でよいのに対し、映画などの日時が経過してから再度鑑賞する可能性が高いジャンルに対しては有効期限は長く設けることがユーザにとって望ましいからである。
【００８４】
また、判断部１０８は、ＨＤＤ１０３の空き容量が閾値１を下回った場合には、さらに前記条件（３）、および条件（４）に基づいて、コンテンツの削除等が指示する。具体的には、図８のフローチャートに示す処理を行う。
【００８５】
判断部１０８は、ＨＤＤ１０３の空き容量が閾値１を下回った場合（ステップＦ８０１）には、コンテンツに早見再生された部分があるかどうかを前記管理情報から判断する（ステップＦ８０２）。早見再生された部分がある場合には、早見再生された部分が番組の本編かどうかを判断する（ステップＦ８０３）。早見再生された部分が番組の本編の場合には、早見再生された回数が閾値５よりも多いかどうかが判断され（ステップＦ８０４）、早見再生された回数が閾値５よりも多ければ、コンテンツは圧縮または削除される。また、早見再生された部分が番組の本編ではない場合には、早見再生された回数に関係なく、コンテンツは圧縮または削除される。
【００８６】
例えば、閾値５の値が「２」である場合には、表１の例では、Ｂ１の音楽番組は録画された時刻が２１：１０−２１：２０である番組本編の部分が２回、またＢ２の音楽番組は録画された時刻が２１：０５−２１：１５である番組本編の部分が２回早見再生されているので、これらの部分は圧縮または削除される。
【００８７】
また、Ｂ１の２１：４５−２１：４６に録画された部分、およびＢ２の２１：４５−２１：４６に録画された部分は、番組本編以外の部分（例えばＣＭ）なので、これらの部分は早見再生された回数に関係なく、圧縮または削除される。Ｃ１、およびＣ２のニュース番組も同様にして、削除または圧縮が行われる。
【００８８】
なお、閾値５もコンテンツのジャンルに応じて変更するのが望ましい、例えばニュース番組は一度早見再生されれば不要と判断できるが、その他のジャンル（例えば音楽やドラマ等）のコンテンツは要否の判断が困難であるために、閾値５は２以上と設定することが望ましい。
【００８９】
上記のように、最新鑑賞日時が閾値３よりも新しいコンテンツであっても、早見再生された回数に応じて、コンテンツの削除や圧縮が行われる。
【００９０】
したがって、例えばユーザーが興味の薄いアーティストが出演したことなどから複数回にわたり早見再生がされたコンテンツが削除等される。
【００９１】
また、外部保存されたり、最新鑑賞日時が有効期限を越えるまでＨＤＤ１０３に残しておくのは望ましくないコンテンツ（例えばニュース番組等）が早見再生がされれば、削除や圧縮が行われ、ＨＤＤ１０３の容量の確保される。
【００９２】
さらに、早見再生されたコンテンツの番組本編以外の情報（例えばＣＭ）に対しては、早見再生の回数に係わらず削除や圧縮が行われるので、ＨＤＤ１０３の容量の確保がより容易になる。
【００９３】
また、記録再生装置１００では、ＨＤＤ１０３に記録されているコンテンツを他の記録媒体にダビング（複製）する際にもコンテンツ管理が行われる。
【００９４】
判断部１０８は、図９のフローチャートに示すように、ＨＤＤ１０３の空き容量が閾値１を下回った場合に（ステップＦ９０１を参照）、コンテンツが同一フォーマット、かつ同一ビットレートでダビングされるかどうかを判断する（ステップＦ９０１）。コンテンツが同一フォーマット、かつ同一ビットレートでダビングされるのであれば、ＨＤＤ１０３の空き容量確保のため、コンテンツ移動処理部１１１に対してコンテンツの移動（ムーブ）を指示する（ステップＦ９０３）。
【００９５】
また、異なるフォーマットや同一フォーマットでも低ビットレートでダビングする場合には、ＨＤＤ１０３には可能な限り元のコンテンツを残すのが望ましいという観点から、コンテンツ移動処理部１１１による移動ではなく、ダビング部１０６による複製を行う（Ｆ９０４）。複製元のコンテンツは、前記の条件（１）〜（４）に基づいて、そのコンテンツの削除や圧縮が行われる。
【００９６】
上記のように、コンテンツが同一フォーマット、かつ同一ビットレートで他の記録媒体にダビングされる場合には、ＨＤＤ１０３の容量の確保が可能となる。
【００９７】
また、記録再生装置１００では、十分な空き容量を確保できている場合には、圧縮したコンテンツのうち所定の条件を満たすコンテンツの解凍が行われる。
【００９８】
この場合は、管理情報には、最も最近に不要と判断されたコンテンツまたはコンテンツの部分が何れであるが分かるように情報を設定する。
【００９９】
判断部１０８は、図１０のフローチャートに示すように、ＨＤＤ１０３の空き容量が閾値２を上回った場合に（ステップＦ１００１を参照）、不要と判断されたコンテンツ、またはコンテンツの部分のなかから最も最近に不要と判断されたコンテンツまたはコンテンツの部分を検索する（ステップＦ１００２）。検索されたコンテンツまたはコンテンツの部分が既に圧縮されているかどうかを判断し（ステップＦ１００３）、既に圧縮されていた場合には、検索されたコンテンツを記録再生装置１００で再生可能な状態に解凍して圧縮前の状態に戻す（ステップＦ１００４）。ＨＤＤ１０３に残ったコンテンツのなかで何れが最も最近に不要と判断されたコンテンツまたはコンテンツの部分であるか、管理情報を設定し直す（ステップＦ１００５）。これらのステップにより、ＨＤＤ１０３の空き容量に応じて、可能な限り多くのコンテンツが再生可能な状態で保存される。
【０１００】
上記のように、本装置では番組データに対して行った早見再生などの操作の状態を番組データの要否判断の基準に加えたので、本実施形態にかかる装置によれば、番組データの要否をより精度よく判定することができ、ユーザーにとって必要な番組データが削除されてしまう危険性を軽減できる。
【０１０１】
また、単に番組データを削除するのではなく、不要と判断されたコンテンツ（またはコンテンツの部分）をまず圧縮するので、やはりユーザーにとって必要な番組データが削除されてしまう危険性を軽減できる。
【０１０２】
また、例えば記録媒体の使用済みの容量が所定値以上になった場合などに、コンテンツ管理が自動的に行われるので、ユーザーにとって負担となる空き領域確保のための操作を大幅に軽減でき、容易に記記録媒体の空き領域の確保することが可能になる。
【０１０３】
なお、上記の実施形態では、ＨＤＤ１０３に記録されているコンテンツのコンテンツ管理の例を説明したが、書き換え型ＤＶＤ２００に記録されているコンテンツについても同様にコンテンツ管理を行うようにしてもよい。
【０１０４】
また、上記の実施形態では、ＨＤＤ１０３の容量が閾値１を下回った場合にコンテンツ管理を行う例を説明したが、一定周期ごと、またはユーザの指示によってコンテンツ管理を行うようにしてもよい。
【０１０５】
また、コンテンツを圧縮することによって空き領域を確保するのではなく、判断部１０８で条件（１）〜（４）を満たすと判断されたコンテンツを他の記録媒体（例えば書き換え型ＤＶＤ２００）に移動させるようにしてもよい。
【産業上の利用可能性】
【０１０６】
本発明にかかる記録再生装置、およびコンテンツ管理方法は、ユーザーにとって必要なコンテンツが不用意に削除される危険性を軽減しつつ、容易に記記録媒体の空き領域の確保することが可能になるという効果を有し、ハードディスクや書き換え型光ディスク等の記録媒体に記録されているコンテンツの保存の要否を管理する記録再生装置等として有用である。
【図面の簡単な説明】
【０１０７】
【図１】本発明の実施形態１の記録再生装置の構成を示すブロック図である。
【図２】コンテンツが再生された際の管理情報の更新動作を示すフローチャートである。
【図３】コンテンツが早見再生された際の管理情報の更新動作を示すフローチャートである。
【図４】コンテンツがダビングされた際の管理情報の更新動作を示すフローチャートである。
【図５】閾値の設定動作を示すフローチャートである。
【図６】他の記録媒体にダビングされたコンテンツに対して行われるコンテンツ管理の動作を示すフローチャートである。
【図７】コンテンツの最新鑑賞日時に基づいて行われるコンテンツ管理の動作を示すフローチャートである。
【図８】コンテンツの早見再生の回数に基づいて行われるコンテンツ管理の動作を示すフローチャートである。
【図９】コンテンツを他の記録媒体にダビングする際に行われるコンテンツ管理の動作を示すフローチャートである。
【図１０】圧縮されたコンテンツを圧縮前の状態に戻す場合の動作を示すフローチャートである。
【符号の説明】
【０１０８】
１００      記録再生装置
１０１      アンテナ
１０２      チューナー
１０３      ＨＤＤ
１０４      記録部
１０５      再生部
１０６      ダビング部
１０７      閾値格納部
１０８      判断部
１０９      コンテンツ削除処理部
１１０      コンテンツ圧縮処理部
１１１      コンテンツ移動処理部
１１２      コンテンツ解凍処理部
１１３      管理情報更新部
２００      書き換え型ＤＶＤ
３０１      スピーカ
３０２      ディスプレイ
【図１】
2006286060.tif 000004
【図２】
2006286060.tif 000005
【図３】
2006286060.tif 000006
【図４】
2006286060.tif 000007
【図５】
2006286060.tif 000008
【図６】
2006286060.tif 000009
【図７】
2006286060.tif 000010
【図８】
2006286060.tif 000011
【図９】
2006286060.tif 000012
【図１０】
2006286060.tif 000013